(57)【要約】      （修正有）【課題】エレベーターが防犯運転であることを確実に犯罪者に認識させることにより、犯罪継続意識を低下させることができ、エレベーター利用者、装置の安全を確保する確率を向上できるエレベーター防犯運転装置を得る。【解決手段】監視員により押下される特定ボタン１、エレベーター利用者により押下される特定ボタン２、エレベーターのかご内の犯罪行為を検出する犯罪行為検出器３のいずれかから信号が入力されると、マイクロコンピュータ９は、予め設定器により設定され、メモリ９Ｂに格納された設定により、フラッシュ発光装置７を発光させると共に、照明装置やアナウンス装置に接続された連動装置８を制御して、消灯させたり、威嚇メッセージをアナウンスさせたりすることにより、エレベーターが防犯運転であることを確実に犯罪者に認識させ、犯罪継続意識を低下させるようにしている。【選択図】図１
2006213455.tif 000002
【特許請求の範囲】
【請求項１】
エレベーターのかご内の犯罪行為を検出する犯罪行為検出手段、上記かご内に設けられ、フラッシュを発光するフラッシュ発光装置、上記かご内の他の設備と接続され、上記フラッシュ発光装置のフラッシュ発光と連動して上記他の設備を動作させる連動装置、この連動装置に接続された上記他の設備の動作内容を予め設定する設定手段、及びこの設定手段により設定された上記他の設備の動作内容を記憶するメモリを有し、上記犯罪行為検出手段により上記犯罪行為が検出されたとき、上記フラッシュ発光装置を発光させると共に、上記メモリの記憶内容に基づき上記連動装置を介して上記他の設備を動作させるように制御するマイクロコンピュータを備えたことを特徴とするエレベーター防犯運転装置。
【請求項２】
上記他の設備には、かご内を照明する照明装置が含まれ、上記マイクロコンピュータは、上記犯罪行為検出手段により上記犯罪行為が検出されたとき、上記照明装置を消灯させることを特徴とする請求項１記載のエレベーター防犯運転装置。
【請求項３】
上記他の設備には、かご内にアナウンスするアナウンス装置が含まれ、上記マイクロコンピュータは、上記犯罪行為検出手段により上記犯罪行為が検出されたとき、上記アナウンス装置により威嚇メッセージをアナウンスさせることを特徴とする請求項１または請求項２記載のエレベーター防犯運転装置。
【請求項４】
上記他の設備には、かご内を撮影するように配置された撮影装置が含まれ、上記マイクロコンピュータは、上記犯罪行為検出手段により上記犯罪行為が検出されたとき、上記撮影装置によりかご内を撮影させることを特徴とする請求項１〜請求項３のいずれかに記載のエレベーター防犯運転装置。
【請求項５】
上記設定手段は、上記マイクロコンピュータの制御により発光する上記フラッシュ発光装置のフラッシュ発光回数及び発光間隔を設定することを特徴とする請求項１〜請求項４のいずれかに記載のエレベーター防犯運転装置。
【請求項６】
上記設定手段は、上記マイクロコンピュータの制御により発光する上記フラッシュ発光装置の台数を設定することを特徴とする請求項１〜請求項５のいずれかに記載のエレベーター防犯運転装置。
【請求項７】
上記かご内には、かご内を監視する監視カメラが設置されると共に、この監視カメラの映像から犯罪行為を監視員が確認したとき、監視員によって押下される第一のボタンが設けられ、上記マイクロコンピュータは、上記第一のボタンの押下により、上記フラッシュ発光装置を発光させると共に上記連動装置を介して上記他の設備を動作させることを特徴とする請求項１〜請求項６のいずれかに記載のエレベーター防犯運転装置。
【請求項８】
上記かご内には、上記犯罪行為が行われたときかご内のエレベーター利用者により押下される第二のボタンが設置され、上記マイクロコンピュータは、上記第二のボタンの押下により、上記フラッシュ発光装置を発光させると共に上記連動装置を介して上記他の設備を動作させることを特徴とする請求項１〜請求項７のいずれかに記載のエレベーター防犯運転装置。
【発明の詳細な説明】
【技術分野】
【０００１】
この発明は、エレベーターの防犯運転を行うエレベーター防犯運転装置に関するものである。
【背景技術】
【０００２】
従来のエレベーターの防犯運転では、未然に犯罪を防止するために、かご内への不審者の進入を阻止する。また、かご内での犯罪を検出後、犯罪者を閉じ込め状態にする、あるいは、監視カメラによる映像記録及び出力、異常発報、警報等の外部出力により、外部にかご内の犯罪を知らせるという構成にしている。
特許文献１には、待機中のかご内に乗客がいるのを人感センサで検出し、その乗客に降りるか行き先ボタンを押すかを指示し、従わないときは不審者と判定して、監視センタに通知するものが、示されている。
特許文献２には、かご内の乗客数を検知する乗客検知装置と、かご内に異常が発生したときにかご内から外部へ連絡する外部連絡手段を有し、二人以上の乗客数及び外部連絡手段が操作された（または天井部のマイクにより悲鳴等の異常音を感知した）とき、かご内の発光装置を断続的に発光させるようにしたものが、示されている。
【０００３】
【特許文献１】特開２００１−３０２１２３号公報（第２〜３頁、図１）
【特許文献２】実開平３−１２２０６３号公報（第３〜６頁、図１）
【発明の開示】
【発明が解決しようとする課題】
【０００４】
従来のエレベーターの防犯運転では、防犯運転条件が成立すると、かご内への侵入を阻止する。あるいは、特許文献１のように、外部出力により外部にかご内の犯罪を知らせるという構成になっているから、かご内への進入を阻止できない場合、あるいは、外部または犯罪者がかご内の異常、すなわち外部出力されていることに気づかない場合、犯罪は継続される可能性が高く、エレベーター利用者の身の安全、装置の安全が確保されないという問題点がある。また、救助時間が遅延するという欠点もある。
【０００５】
特許文献２のものでは、乗客数と、異常の外部連絡手段が操作される（または天井部のマイクにより悲鳴等の異常音を感知した）ことにより、かご内の発光装置により断続的に発光させるとはいえ、この発光だけでは、犯罪者による犯罪の抑制効果が必ずしも、十分とは言えないという問題があった。
【０００６】
この発明は、上述のような課題を解決するためになされたものであり、エレベーターが防犯運転であることを確実に犯罪者に認識させることにより、犯罪継続意識を低下させることができ、エレベーター利用者、装置の安全を確保する確率を向上できるエレベーター防犯運転装置を得ることを目的にしている。
【課題を解決するための手段】
【０００７】
この発明に係わるエレベーター防犯運転装置においては、エレベーターのかご内の犯罪行為を検出する犯罪行為検出手段、かご内に設けられ、フラッシュを発光するフラッシュ発光装置、かご内の他の設備と接続され、フラッシュ発光装置のフラッシュ発光と連動して他の設備を動作させる連動装置、この連動装置に接続された他の設備の動作内容を予め設定する設定手段、及びこの設定手段により設定された他の設備の動作内容を記憶するメモリを有し、犯罪行為検出手段により犯罪行為が検出されたとき、フラッシュ発光装置を発光させると共に、メモリの記憶内容に基づき連動装置を介して他の設備を動作させるように制御するマイクロコンピュータを備えたものである。
【発明の効果】
【０００８】
この発明は、以上説明したように、エレベーターのかご内の犯罪行為を検出する犯罪行為検出手段、かご内に設けられ、フラッシュを発光するフラッシュ発光装置、かご内の他の設備と接続され、フラッシュ発光装置のフラッシュ発光と連動して他の設備を動作させる連動装置、この連動装置に接続された他の設備の動作内容を予め設定する設定手段、及びこの設定手段により設定された他の設備の動作内容を記憶するメモリを有し、犯罪行為検出手段により犯罪行為が検出されたとき、フラッシュ発光装置を発光させると共に、メモリの記憶内容に基づき連動装置を介して他の設備を動作させるように制御するマイクロコンピュータを備えたので、エレベーターが防犯運転であることを確実に犯罪者に認識させ、犯罪継続意識を低下させることができ、エレベーター利用者の安全性、装置の破壊防止効果を飛躍的に向上させることができる。
【発明を実施するための最良の形態】
【０００９】
実施の形態１．
図１は、この発明の実施の形態１によるエレベーター防犯運転装置を示す構成図である。
図１において、特定ボタン１（第一のボタン）は、監視センターなどに配置され、犯罪行為が認識されたとき監視員により操作される。特定ボタン（防犯ボタン）２（第二のボタン）は、かご内に設けられ、犯罪行為が行われたときエレベーターの利用者により操作される。犯罪行為検出器３（犯罪行為検出手段）は、かご内の犯罪行為を検出する。監視カメラ４は、かご内を監視し、監視映像を監視センターに送信する。
マイクロコンピュータ９には、特定ボタン１、特定ボタン２、犯罪行為検出器３、監視カメラ４からの各信号が入力され、これらの信号を処理して、異常の場合には、外部へ異常を知らせる外部出力装置６と、かご内に設けられ、異常時にフラッシュを発光するフラッシュ発光装置７と、照明装置など他の設備と連動するように構成された連動装置８とに異常を伝える信号を出力する。
このマイクロコンピュータ９は、特定ボタン１、特定ボタン２、犯罪行為検出器３、監視カメラ４からの各信号が入力される入力装置９Ｃと、この入力された信号に基づいて、処理を行うＣＰＵ９Ａと、このＣＰＵ９Ａの処理時に用いられるメモリ９Ｂと、ＣＰＵ９Ａの処理結果を、外部出力装置６、フラッシュ発光装置７、連動装置８に出力する出力装置９Ｄとにより構成される。
【００１０】
犯罪行為検出器３は、次の検出器の一つまたは複数により構成される。すなわち、それらの検出器は、犯罪者がかご内で、エレベーター利用者に犯罪行為を行った際に、エレベーター利用者が大声を発生することにより、その高音声を検出する高音声検出器であり、犯罪者が犯罪行為を行った際に発生するかごの異常振動を検出する異常振動検出器であり、犯罪者が監視カメラの視野を妨害したり、監視カメラを破壊、取外しなどの行為を行った場合に、監視カメラの異常を検出する監視カメラ異常検出器であり、犯罪者がエレベーター利用者をかご内に閉じ込める監禁等の目的で、戸閉ボタンの押下継続行為を行う場合などに発生する戸閉ボタン異常を検出する戸閉ボタン異常検出器である。
【００１１】
また、連動装置８は、フラッシュの発光と連動して動作する他の設備に接続される。他の設備としては、フラッシュの発光時にかご内を消灯する照明装置、アナウンス装置、撮影装置が接続される。アナウンス装置は、フラッシュの発光と連動して、「警察に通報中です。それ以上の犯罪継続はお止め下さい。」などの威嚇メッセージを鳴動する。撮影装置は、フラッシュの発光と連動してかご内を撮影するように設置され、かご内の写真を撮影する。この撮影された画像は、グラフィックパネルなどを備えたエレベーターなどでは、それに出力することも効果的である。
【００１２】
実施の形態１では、マイクロコンピュータ９は、監視センターなどからの特定ボタン１、かご内の特定ボタン（防犯ボタン）２、犯罪行為検出器３の出力により、かご内の犯罪行為を検出する。このマイクロコンピュータ９の制御により、外部出力装置６は外部へ出力し、フラッシュ発光装置７はかご内にフラッシュを発光し、さらに連動装置８に接続された各装置を動作させるようにしたものである。
【００１３】
次に、動作について説明する。
このように構成されたエレベーター防犯運転装置においては、監視センターなどによる特定ボタン１の押下、エレベーター利用者によるかご内の特定ボタン（防犯ボタン）２の押下、犯罪行為検出器３による犯罪行為検出時に、かご内でフラッシュ発光装置７によりフラッシュ発光させると共に、連動装置８に連結された装置を動作させる。この装置が照明装置の場合には、フラッシュ発光時に消灯され、さらに、アナウンス装置に接続された場合には、かご内で威嚇的なアナウンスを行い、撮影装置に接続された場合には、かご内を撮影する。
これにより、被害者の動作に頼ることなく、犯罪者の犯罪行為を検出し、かご内のフラッシュ発光及びその連動される装置の動作により、犯罪者に対し、エレベーターが防犯運転になったことを確実に認識させることができるため、以降の犯罪継続を抑止することができる。
【００１４】
実施の形態１によれば、被害者の行為に頼ることなく、犯罪者の犯罪行為を検出したとき、エレベーターのかご内のフラッシュ発光装置を発光させると共に連動される装置の動作により、犯罪者にエレベーターが防犯運転になったことを確実に知らせ、犯罪行為の継続を抑制することができる。
また、エレベーター利用者やかご内装置の安全を確保することができる。
また、照明が消灯していた場合、あるいは犯行前に照明が破壊された場合でも、フラッシュを発光させることにより、かご内の状況を確実に記録することができる。
【００１５】
実施の形態２．
図２は、この発明の実施の形態２によるエレベーター防犯運転装置を示す構成図である。
図２において、１〜４、６〜９は図１におけるものと同一のものである。設定器１０（設定手段）は、マイクロコンピュータ９の処理内容を設定し、メモリ９Ｂに格納する。
実施の形態２は、設定器１０を設け、マイクロコンピュータ９の処理内容、例えば、連動装置８に接続された装置をフラッシュ発光に連動するように設定したり、アナウンス装置の威嚇メッセージの設定を行うことができる。
【００１６】
監視センターなどからの特定ボタン１の押下、エレベーター利用者によるかご内の特定ボタン（防犯ボタン）２の押下、犯罪行為検出器３によるかご内の犯罪行為の検出に応じて、フラッシュ発光装置７によるフラッシュ発光に連動する装置及びその動作について、設定器５により予め設定を行い、メモリ９Ｂに記憶させる。
このように構成されたエレベーターの防犯運転装置においては、設定器５により予めフラッシュ発光に連動する装置及びその動作について設定しておくことにより、犯罪行為検出時、フラッシュ発光を可能にするほか、フラッシュ発光時の連動装置８を制御することができる。
【００１７】
実施の形態２によれば、設定器を設け、フラッシュ発光に連動して動作する連動装置に接続された装置及びその動作について設定しておくことにより、犯罪行為検出時、フラッシュ発光時の連動装置と接続された装置を制御することができる。
【００１８】
実施の形態３．
実施の形態３は、実施の形態２の設定器により、フラッシュ発光時の発光要素を設定するようにしたものである。
実施の形態３は、図２を援用して説明する。
実施の形態３は、図２の設定器５により、フラッシュ発光装置７のフラッシュ発光時の発光要素を設定する。
このフラッシュ発光時の発光要素としては、発光回数及び発光間隔がある。
例えば、設定器５にて、フラッシュの発光要素である発光回数を１６回、発光間隔を０．５秒と設定すると、かご内にて犯罪者が犯罪行為を行った際に、犯罪行為検出器３が異常を検出し、フラッシュ発光装置７にて、フラッシュを０．５秒間隔で１６回発光する。
【００１９】
また、フラッシュ発光装置を複数台設置し、このうち、任意の数のフラッシュ発光装置を使用してフラッシュ発光させることができる。
この場合には、設定器５にて、フラッシュの発光要素であるフラッシュ発光装置使用回数を８個、それぞれのフラッシュ発光装置に対するフラッシュの発光回数を５回、発光間隔を０．５秒、繰り返し発光回数を３回、繰り返し間隔を３秒と設定する。このように設定しておくと、かご内にて犯罪者が犯罪行為を行った際に、犯罪行為検出器３が異常を検出し、フラッシュ発光装置７にて、８台のフラッシュ発光装置がフラッシュを０．５秒間隔で５回発光する。この動作を３秒間隔であと２回実施する。
【００２０】
実施の形態３によれば、フラッシュ発光要素を設定することができるので、より効果的にフラッシュ発光させることができる。
【００２１】
図３は、この発明の実施の形態１〜３によるエレベーター防犯運転装置のマイクロコンピュータの処理を示すフローチャートである。
次に、このフローチャートについて説明する。
監視カメラの映像から犯罪行為を確認した監視センターの監視員によって操作される特定ボタン１の押下を検出したかどうかにより（ステップＳ１）、検出した場合には、ステップＳ４に行く。検出されない場合には、エレベーター利用者により操作されるかご内の特定ボタン２の押下を検出されたかどうかにより（ステップＳ２）、検出した場合には、ステップＳ４に行く。検出されない場合には、犯罪行為検出器３で犯罪行為を検出したかどうかにより（ステップＳ３）、検出した場合には、ステップＳ４に行き、検出されない場合には処理を終了する。
次いで、外部出力装置６により外部へ異常を出力する（ステップＳ４）。次いで、メモリをアクセスして、設定器により設定された連動装置の連動状況及びフラッシュ発光装置の発光要素を取得する（ステップＳ５）。フラッシュ発光装置７によりフラッシュ発光する（ステップＳ６）。
次いで、メモリに連動設定されている場合には（ステップＳ７）、連動装置８の出力を行い、連動装置８に接続された装置を動作させる（ステップＳ８）。次いで、発光動作の完了を確認し、完了していなければ（ステップＳ９）、ステップＳ６〜ステップ８を繰返す。
【００２２】
なお、上記実施の形態は、複数を組み合わせてもよい。
また、実施の形態によるエレベーター防犯運転装置が、背景技術で述べたような従来の防犯運転と連動するか否かも問わないものとする。
また、フラッシュ発光動作、連動動作を設定する手段は、設定器でなくてもよく、その手段を問わないものとする。
【図面の簡単な説明】
【００２３】
【図１】この発明の実施の形態１によるエレベーター防犯運転装置を示す構成図である。
【図２】この発明の実施の形態２によるエレベーター防犯運転装置を示す構成図である。
【図３】この発明の実施の形態１〜３によるエレベーター防犯運転装置のマイクロコンピュータの処理を示すフローチャートである。
【符号の説明】
【００２４】
１  監視センターなどからの特定ボタン、
２  かご内の特定ボタン（防犯ボタン）、３  犯罪行為検出器、
４  監視カメラ、５  設定器、６  外部出力装置、７  フラッシュ発光装置、
８  連動装置、９  マイクロコンピュータ。
【図１】
2006213455.tif 000003
【図２】
2006213455.tif 000004
【図３】
2006213455.tif 000005